【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
レンズと、
レーザ光吸収材料で形成され、前記レンズの外周部と向かい合う壁部が形成される保持部材と、
レーザ光透過材料で形成され、前記保持部材の壁部の端面に直接接触する第１の部分と、前記レンズの外周部と直接接触する第２の部分を有する固定部材とを有し、
前記固定部材は、前記第１の部分が前記保持部材と直接接触し、前記第２の部分が前記レンズと直接接触するように、前記レンズが挿入された前記保持部材に取り付けられ、前記固定部材の前記第１の部分にのみレーザ光を照射して、前記固定部材と前記保持部材との接合面だけを溶着させることを特徴とする光学ユニット。
【請求項２】
前記保持部材には、前記固定部材を前記レンズ保持部材に取り付ける際に、前記固定部材をガイドするガイド部が形成され、前記固定部材には、前記ガイド部と嵌合する溝部が形成されることを特徴とする請求項１に記載の光学ユニット。
【請求項３】
前記固定部材は外周部の中心と内周部の中心とが偏芯して形成されることを特徴とする請求項１に記載の光学ユニット。
【請求項４】
前記固定部材には固定するレンズへの衝撃を吸収する衝撃吸収部が形成されることを特徴とする請求項１に記載の光学ユニット。
【請求項５】
レーザ光の照射によりレンズを保持部材に固定するレンズ固定方法であって、
レーザ光吸収材料で形成される保持部材に前記レンズを挿入するステップと、
レーザ光透過材料で形成され、第１の部分および第２の部分が形成される固定部材を、前記第１の部分が前記保持部材と直接接触し、前記第２の部分が前記レンズと直接接触するように、前記レンズが挿入された前記保持部材に取り付けるステップと、
前記固定部材の前記第１の部分にのみレーザ光を照射して、前記固定部材と前記保持部材との接合面だけを溶着させるステップとを有することを特徴とするレンズ固定方法。
【手続補正２】
【補正対象書類名】明細書
【補正対象項目名】発明の名称
【補正方法】変更
【補正の内容】
【発明の名称】光学ユニット及びレンズ固定方法
【手続補正３】
【補正対象書類名】明細書
【補正対象項目名】０００１
【補正方法】変更
【補正の内容】
【０００１】
本発明は、光学機器に搭載される光学ユニット及びレンズ固定方法に関するものである。
【手続補正４】
【補正対象書類名】明細書
【補正対象項目名】０００７
【補正方法】変更
【補正の内容】
【０００７】
（発明の目的）
本発明の目的は、レンズに直接、レーザ光を照射しないためにレンズの熱変形の虞がなく、レンズの材料にも制約を受けることのない光学ユニット及びレンズ固定方法を提供しようとするものである。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明の光学ユニットは、レンズと、レーザ光吸収材料で形成され、前記レンズの外周部と向かい合う壁部が形成される保持部材と、レーザ光透過材料で形成され、前記保持部材の壁部の端面に直接接触する第１の部分と、前記レンズの外周部と直接接触する第２の部分を有する固定部材とを有し、前記固定部材が、前記第１の部分が前記保持部材と直接接触し、前記第２の部分が前記レンズと直接接触するように、前記レンズが挿入された前記保持部材に取り付けられ、前記固定部材の前記第１の部分にのみレーザ光を照射して、前記固定部材と前記保持部材との接合面だけを溶着させることを特徴とする。
【手続補正１０】
【補正対象書類名】明細書
【補正対象項目名】００１３
【補正方法】変更
【補正の内容】
【００１３】
本発明のレンズ固定方法は、レーザ光の照射によりレンズを保持部材に固定するレンズ固定方法であって、レーザ光吸収材料で形成される保持部材に前記レンズを挿入するステップと、レーザ光透過材料で形成され、第１の部分および第２の部分が形成される固定部材を、前記第１の部分が前記保持部材と直接接触し、前記第２の部分が前記レンズと直接接触するように、前記レンズが挿入された前記保持部材に取り付けるステップと、前記固定部材の前記第１の部分にのみレーザ光を照射して、前記固定部材と前記保持部材との接合面だけを溶着させるステップとを有することを特徴とする。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】変更
【補正の内容】
【００１８】
本発明によれば、レンズに直接、レーザ光を照射しないためにレンズの熱変形の虞がなく、レンズの材料にも制約を受けることのない光学ユニット又はレンズ固定方法を提供できるものである。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２７
【補正方法】変更
【補正の内容】
【００２７】
尚、第一レンズ押さえ枠１３の内径部（枠押し当て部１２ｂに接する部分）は所定以外の口径部からの光線を除去するための光学絞り機能を有している。図１では、円形の開口部を有しているが、円形に限定するものではなく、四角形状でもよい。
【手続補正２１】
【補正対象書類名】明細書
【補正対象項目名】００２９
【補正方法】変更
【補正の内容】
【００２９】
次に、図１の上方向より、第二レンズ押さえ枠１６の外周部の複数箇所（各レーザ照射部１６ｂ）に、レーザ光１７を同時に照射する。第二レンズ押さえ枠１６は上記のようにレーザ光透過プラスチックで成形されているので、前記レーザ光１７は第二レンズ押さえ枠１６を透過し、同じくレーザ光吸収プラスチックで形成されたレンズ枠１１で吸収され、熱に変化されて、レンズ枠１１のレーザ溶着部１１ｆを溶融させる。この熱により、第二レンズ押さえ枠１６の一部も溶融する。この時、第二レンズ１５にレーザ光１７が入射することはなく、更に溶着部とも離れている為に、熱の影響を受けることがない。その後、レーザ照射を停止させると、溶融したプラスチックは急激に冷却され、第二レンズ枠１６とレンズ枠１１が、図２に示すように、溶着される。
【手続補正２２】
【補正対象書類名】明細書
【補正対象項目名】００３２
【補正方法】変更
【補正の内容】
【００３２】
また、第一レンズ１２と第２レンズ１５に直接、レーザ光を照射しないために該レンズの熱変形の虞がないし、レンズ材料も、従来のようにレーザ光吸収プラスチックに制約されることもなく、ガラスにより製作することもできる。さらに、レーザ光１４，１７を複数箇所略同時に照射してレンズ固定を行うようにしているので、従来のように溶着後に位置変化を生じてしまうことがなく、レンズの位置精度を保つことができる。更に、第一レンズ押さえ枠１３の内径部を所定以外の口径部からの光線を除去するための光学絞りとして機能させることができる。
【手続補正２３】
【補正対象書類名】明細書
【補正対象項目名】００３６
【補正方法】変更
【補正の内容】
【００３６】
次に、図３の上方向より、第二レンズ押さえ枠２６の外周部の複数のレーザ照射部２６ｂに、レーザ光２７を同時に照射する。第二レンズ押さえ枠２６は上記のようにレーザ光透過プラスチックで成形されているので、前記レーザ光２７は第二レンズ押さえ枠２６を透過し、レーザ光吸収プラスチックで形成されたレンズ枠２１で吸収され、熱に変化されて、レンズ枠２１のレーザ溶着部２１ｃを溶融させる。この熱により、第二レンズ押さえ枠２６の一部も溶融する。この時、第二レンズ２５にレーザ光２７が入射することはなく、更に溶着部とも離れている為に、熱の影響を受けることがない。その後、レーザ照射を停止させると、溶融したプラスチックは急激に冷却され、第二レンズ枠２６とレンズ枠２１が、図４に示すように、溶着される。